(57)【要約】【課題】従来のペン立てや組木パズルは、単に実用的又は遊戯的な用品であった。【解決手段】本発明は筆記具を立てる収容部と組木パズルを備える収容部とを形成する筒状容器に、三本の組木を交差可能な状態で組立て、それを分解することができる組木パズルを備えたものであって、組木パズルが不使用のときはペン立てとして使用するペン立て兼用の組木パズルを提供するものである。【選択図】図１
2019010488.tif 000002
【特許請求の範囲】
【請求項１】
ペン立て筒状容器の内部に筆記具を立てる収容部と内底を設け、当該内底の下部を構成する筒状容器の周壁に対向する開口部を設け、当該開口部を介して組立てる三本の組木に切欠き部を形成し、当該切欠き部に等間隔で交差する組木を備える収容部を設けたことを特徴とする、ペン立て兼用の組木パズル。
【発明の詳細な説明】
【技術分野】
【０００１】  本発明は、筆記具を収容する筒状容器に三本の組木が交差する組立パズルを備えた、ペン立て兼用の組木パズルに関する。
【背景技術】
【０００２】  従来、ペン立ては筆記具を収容する単なる筒状容器であり、組木パズルは組木の組み合わせや分解を楽しむだけの遊戯具であって、実用性がないと慣れて十分に会得し使用に飽きたとき又は使用しないときは放置されるか、廃棄されていた。しかし、ペン立て容器あるいは組木パズルとしては、下記のようなものが提供されていた。【０００３】  筆記具などを収容する筒状容器の外周壁面に、絵合わせパズルを嵌め合わせるペン立て兼用貯金箱が提供されたものがあった（例えば、特許文献１参照）。【０００４】  また、組木パズルとしては、六本の組木に切り欠きの形状を工夫し、組み合わせてパズル化した組木パズルが提供されている（例えば、特許文献２参照）。【０００５】  しかし、従来の絵合わせパズルや立方体組立パズルは、その嵌め合わせや組み立てる遊びに多様性がないので、組み立てを数回繰り返すと想像力や理解力を要することなく組立てや分解することができる。これでは飽きられて放置されるので、日常的な実用性がないと使用されなくなることがあった。
【先行技術文献】
【特許文献】
【０００６】
【特許文献１】特開平７−２１４９８２
【特許文献２】特開２００４−２５５１４２
【発明の概要】
【発明が解決しようとする課題】
【０００７】  以上に述べた従来のペン立てには遊戯性に欠け、組木パズルには実用性が欠けていた。【０００８】  本発明は、このような従来のペン立てが有する造形や構造の問題を解決するものであり、筒状容器の内部に二重底を設け、筆記具を立てる収容部と三本の組木が交差する状態で組立分解が可能なパズルを備えた収容部を設けた、ペン立て兼用の組木パズルを提供することを目的とするものである。
【課題を解決するための手段】
【０００９】  本発明は、上記目的を達成するために以下の構成を採用した。【００１０】  本発明に係るペン立て筒状容器は、筒状容器の内部に筆記具を立てる収容部とその内底を設け、当該内底の下部壁面に対向する複数の開口部が形成された収容部を設け、当該収容部の底に開閉可能なねじ溝を有する蓋が設けられたことを特徴とする。【００１１】  前述筒状容器を成形する下部壁面に対向する開口部を形成し、当該開口部に差し込む三本の組木は各々長方形で六面を有する同一サイズの直方体である。しかし、当該組木は各々形状が異なるので、以下のとおり三本の組木の特徴を説明する。【００１２】  図４記載の組木Ａは直方体に形成されたものであって、当該組木Ａの下部底面から両端の高さ三分の二に相当する中央部分の両側を略逆三角形状に切り抜いて切欠き部を形成して上部に下向きの段部を形成する。【００１３】  なお、前述組木Ａの底面に両端から長手方向に対向する状態で略三角形状の突起部が形成されたことを特徴とする組木Ａである。【００１４】  図５記載の組木Ｂは、組木片を着脱可能に挿着したことを特徴とする一対の直方体である。【００１５】  前述組木片の一端の高さが上部平面から三分の一に相当する中央部分に、両側を略逆三角形状に切り抜いて切欠き部を形成し、上部平面の一端から長手方向に略三角形状の突起部を形成する。【００１６】  なお、上述組木Ｂの組木片の中央部に他の組木が交差する長方状の中央段部を形成し、当該中央段部の端部に割溝が形成された円形状の差込み棒を設ける。【００１７】  さらに、前述組木片ａに形成された中央段部の下部に略逆三角形状に切り抜いて切欠き部を形成し、下部底面の一端から長手方向に略三角形状の突起部を形成する。【００１８】  上述組木片の上部平面には、他端から長手方向に対向する略三角形状の突起部を形成する。【００１９】  前述組木片の中央部に段差部を形成し、当該段差部の中心部に穿孔を設ける。【００２０】  前述組木片の下部底面には突起部と対向する略三角形状の突起部を形成する。【００２１】  上述組木片の中央段部に設けた差込み棒を、組木片に設けた段差部に穿設した穿孔に挿入し、組木片と組木片を着脱可能に連結したことを特徴とする一対の組木Ｂである。【００２２】  図６に記載する組木Ｃは、組木片と組木片を着脱可能に挿着することを特徴とした一対の直方体である。【００２３】  前述組木片の一端から上部平面の長手方向に略三角形状の突起部を形成し、当該突起部ａの先端の下部に段差部を形成し、さらに段差部の中心部に穿孔を設ける。【００２４】  上述組木片の他端から上部平面の長手方向において突起部と対向する略三角形状の突起部を形成し、当該突起部の先端の下部に略逆三角形状の切欠き部を切り抜いた下部段部を形成する。【００２５】  前述組木片の下部に形成した段部の先端に割溝が形成された円形状の差込み棒を設け、当該差込み棒を組木片に形成された段差部の穿孔に挿着し、組木片の差込み棒と組木片の穿孔を着脱可能に連結したことを特徴とする一対の組木Ｃである。【００２６】  以下、本発明に係る組木Ａ、Ｂ、Ｃによる組木パズルの組立てを説明する。【００２７】  本発明は、筆記具を収容する筒状容器の周壁に設けられた任意の開���部に、前記組木Ａの上部平面部を上向きの状態で差し込み、対向する開口部から組木Ａの一端が突き出た状態で組立てる。【００２７】  上述組木Ｂの組木片を任意の開口部から組木Ａの切欠き部に差し込むと、対向する開口部から組木片の差込み棒が突き出た状態で配置される。当該差込み棒に組木片の穿孔を挿着すると組木Ｂが筒状容器内に組立てる。【００２８】  上述組木Ｃの組木片を任意の開口部から組木Ｂの切欠き部に差し込むと、対向する開口部から組木片の差込み棒が突き出た状態で組立てられるので、前述差込み棒に組木片の穿孔を挿着し、組木Ｃが筒状容器の内部に組立てられる。したがって筒状容器内で三本の組木Ａ、Ｂ、Ｃが組立分解することが可能なパズルが完成する。
【作用】
【００２９】  本発明は上述のとおり、三本の組木による組立分解が可能なパズルであって、三本の組木が各々どのように作用しているか以下の通り説明する。
【００３０】  上述筒状容器の開口部を介して交差する組木Ａ、Ｂ、Ｃに形成された逆三角形状の切欠き部の範囲で摺動するが、組木Ａ、Ｂ、Ｃに形成した上部段部、中央段部、下部段部の側壁が妨げとなり各切欠き部の範囲を超えて摺動することは不可能である。
【００３１】  すなわち、組木Ａの摺動は、組木Ｂの中央段部と組木の下部段部の側壁が妨げとなる。
【００３２】  また、組木Ｂの摺動は、組木Ａの上部段部と組木Ｃの下部段部との側壁が妨げとなる。
【００３３】  なお、組木Ｃの摺動は、組木Ａの上部段部と組木Ｂの中央段部の側壁が妨げの役割を果たすことができる。
【００３４】  上述の通り、三本の組木Ａ、Ｂ、Ｃを筒状容器から引き抜き分解することの難易度が高いパズルを提供することができる。
【発明の効果】
【００３５】  上述したように本発明のペン立て兼用の組木パズルは、筒状容器の内部に筆記具を立てる収容部と三本の組木を交差する状態で組立分解が可能なパズルを備えた収容部を設けたものであって、筒状容器に組み立てた三本の組木を引き抜くことを想像する遊戯性と共に、組木パズルの不使用時にはペン立てとして使用できるものである。
【００３６】  また、組木パズルは、単なる遊戯のみではなく集中力や創造力を鍛錬すると共に、指先を使用することで指先の鍛錬になる効果を発揮するものである。
【図面の簡単な説明】
【００３７】
【図１】本発明の筒状容器に組木が交差した状態の平面図。
【図２】本発明の筒状容器の側面図。
【図３】図２に示すＡ−Ａ線による筒状容器の縦断面図。
【図４】本発明の組木Ａに係る実施の形態を示すものであって、（１）は組木Ａの平面図。（２）は組木Ａの側面図。（３）は組木Ａの底面図。
【図５】本発明の組木Ｂに係る実施の形態を示すものであって、（１）組木片が挿着された状態の平面図。（２）組木片の形態を示す側面図。（３）組木片を挿着した状態を示す側面図。（４）組木片が挿着された状態を示す底面図。
【図６】本発明の組木Ｃに係る実施の形態を示すものであって、（１）組木片が挿着された状態の平面図。（２）組木片の形態を示す側面図。（３）組木片を挿着した状態を示す側面図。（４）組木片が挿着された状態を示す底面図。
【図７】本発明の組木Ａ、Ｂ、Ｃが交差した状態で組立てられた状態を示す平面図。
【発明を実施するための形態】
【００３８】  以下、本発明の実施の形態を図１から図７に基づいて説明する。
【００３９】  図１から図３においては、ペン立て筒状容器１の内部に筆記具の収容部２と内底３を設け、当該内底３の下部壁面には対向する複数の開口部４が形成された収容部５形成し、当該収容部５の下部に開閉可能なねじ溝を有する蓋６を設けたことを特徴とする筒状容器１である。
【００４０】  上記筒状容器１に形成された開口部４に差し込む三本の組木部材は各々長方形で六面を有する同一サイズの直方体である。しかし、当該組木部材は各々形状が異なるので、以下に三本の組木の特徴を説明する。
【００４２】  図４に示す組木Ａは直方体に形成されたものであって、当該組木Ａの下部底面から両端の高さが三分の二に相当する中央部分の両側を略逆三角形状に切り抜いて切欠き部７を形成し、組木Ａの上部に下向きの段部９を形成する。
【００４３】  なお、前述の組木Ａの底面に両端から長手方向に対向する状態で略三角形状の突起部８ａ、８ｂが形成されたことを特徴とする組木Ａである。
【００４４】  図５において、組木Ｂは組木片１０ａと組木片１０ｂを着脱可能に挿着されたことを特徴とする一対の直方体である。
【００４５】  前述組木片１０ａの一端の高さが上部平面から三分の一に相当する中央部分に、両側を略逆三角形状に切り抜いて切欠き部１１ａを形成し、上部平面の一端から長手方向に略三角形状の突起部１２ａを形成する。
【００４６】  なお、組木Ｂの組木片１０ａの中央部分に前述組木Ａが交差する長方状の中央段部１３を形成し、当該中央段部１３の端部に割溝１４を形成した円形状の差し込み棒１５を形成する。
【００４７】  前述組木片１０ａに形成された中央段部１３の下部に略逆三角形状に切り抜いた切欠き部１１ｂを形成し、組木片１０ａの下部に底面の一端から長手方向に略三角形状の突起部１２ｂを形成する。
【００４８】  上述組木片１０ｂの上部平面には、他端から長手方向に突起部１２ａと対向する略三角形状の突起部１２ｃを形成する。
【００４９】  前述組木片１０ｂの中央部に段差部１６を形成し、当該段差部１６の中心部に穿孔１７を設ける。
【００５０】  前述組木片１０ｂの下部底面には突起部１２ｂと対向する略三角形状の突起部１２ｄを形成する。
【００５１】  上述組木片１０ａの中央段部１３に設けた差込み棒１５を組木片１０ｂに設けた段差部１６に穿設した穿孔１７に挿入し、組木片１０ａと組木片ｂを着脱可能に挿着したことを特徴とする一対の組木Ｂである。
【００５２】  次に組木Ｃは、組木片１８ａと組木片１８ｂが着脱可能に挿着されてなることを特徴した一対の直方体である。
【００５３】  前述組木片１８ａの一端から上部平面の長手方向に略三角形状の突起部１９ａを形成し、当該突起部１９ａの先端の下部に段差部２０を形成し、さらに段差部２０の中心部に穿孔２１を設ける。
【００５４】  上述組木片１８ｂの他端から上部平面の長手方向において突起部１９ａと対向する略三角形状の突起部１９ｂを形成し、当該突起部１９ｂの先端の下部に略逆三角形状の切欠き部２２を切り抜いた下部段部２３を形成する。
【００５５】  前述組木片１８ｂの下部に形成した段部２３の先端に割溝２４が形成された円形状の差込み棒２５を設け、当該差込み棒２５を組木片１８ａに形成された段差部２０の穿孔２１に挿着し、組木片１８ａの差込み棒２５と組木片１８ｂの穿孔１７を着脱可能に挿着したことを特徴とする一対の組木Ｃである。
【００５６】  以下、本発明の組木Ａ、Ｂ、Ｃによる組木パズルの組立ての過程を説明する。
【００５７】  本発明は、筆記具を収容する筒状容器１の周壁に設けた任意の開口部４に、前述の組木Ａの上部平面部を上向きの状態で差し込み、対向する開口部４から組木Ａの一端が突き出る状態で組み立てる。
【００５８】  上述組木Ｂの組木片１０ａを任意の開口部４から組木Ａの切欠き部７に差し込むと、対向する開口部４から組木片１０ａの差込み棒１５が突き出た状態で配置される。なお、差込み棒１５に組木片１０ｂの穿孔１７を挿着すると組木Ｂが筒状容器１内に組み立てる。
【００５９】  上述組木Ｃの組木片１８ｂを任意の開口部４から組木Ｂの切欠き部１１ｂに差し込むと、対向する開口部４から組木片１８ｂの差込み棒２５が突き出た状態で組み立てられるので、前述差込み棒２５に組木片１８ａの穿孔２１を挿着し、組木Ｃが筒状容器１の収容部５内に組立てられる。したがって、筒状容器１内で三本の組木Ａ、Ｂ、Ｃが組立分解することが可能なパズルが完成する。
【００６０】  本発明は三本の組木Ａ、Ｂ、Ｃによる組立分解が可能なパズルであって、次に三本の組木Ａ、Ｂ、Ｃが各々どのように作用するのか、以下のとおり説明する。
【００６１】  上述の筒状容器１の周壁に形成された複数の開口部４を介して交差する組木Ａ、Ｂ、Ｃに形成された逆三角形状の切欠き部７、１１ａ、１１ｂ、２２の範囲で摺動するが、組木Ａ、Ｂ、Ｃに形成した上部段部９、中央段部１３、下部段部２３の側壁が妨げとなり切欠き部７、１１ａ、１１ｂ、２２の範囲を超えて摺動することは不可能である。
【００６２】  すなわち、組木Ａの摺動は、組木Ｂの中央段部１３と組木Ｃの下部段部２３の側壁が妨げとなる。
【００６３】  また、組木Ｂの摺動は、組木Ａの上部段部９と組木Ｃの下部段部２３との側壁が妨げとなる。
【００６４】  なお、組木Ｃの摺動は、組木Ａの上部段部９と組木Ｂの中央段部１３の側壁が妨げの役割を果たす。
【００６５】  上述のとおり、三本の組木Ａ、Ｂ、Ｃを筒状容器１から引き抜き分解することの難易度が高いパズルを提供することができる。
【００６６】  本発明に係る筒状容器１の内部に組立てた組木パズルを分解する場合は、組木Ｂの両端を力強く組木片１０ａと組木片１０ｂを引くと容易に引離すことが可能である。
【００６７】  次に、組木Ｃの両端を力強く組木片１８ａと組木片１８ｂを引くと容易に引離すことが可能である。
【００６８】  なお、組木片Ｂと組木Ｃを各々引き離すと、組木片Ａは容易に開口部４から引き出すことができる。
【００６９】  上述したように、本発明のペン立て兼用の組木パズルは、筒状容器１の内部に筆記具を立てる収容部２と三本の組木Ａ、Ｂ、Ｃを交差する状態で組立分解が可能なパズルを備えた収容部５を設けたものであって、筒状容器１に組立てた三本の組木Ａ、Ｂ、Ｃを引き抜くことを想像する遊戯性と共に、組木パズルの不使用時にはペン立てとして使用できるものである。
【符号の説明】
【００７０】    １  筒状容器
２  収容部
３  内底
４  開口部
５  収容部
６  蓋
Ａ  組木
７  切欠き部
８ａ  突起部
８ｂ  突起部
９  上部段部
Ｂ  組木
１０ａ  組木片
１０ｂ  組木片
１１ａ  切欠き部
１１ｂ  切欠き部
１２ａ  突起部
１２ｂ  突起部
１２ｃ  突起部
１２ｄ  突起部
１３  中央段部
１４  割溝
１５  差込み棒
１６  段差部
１７  穿孔
Ｃ  組木
１８ａ  組木片
１８ｂ  組木片
１９ａ  突起部
１９ｂ  突起部
２０  段差部
２１  穿孔
２２  切欠き部
２３  下部段部
２４  割溝
２５  差込み棒
【図１】
2019010488.tif 000003
【図２】
2019010488.tif 000004
【図３】
2019010488.tif 000005
【図４】
2019010488.tif 000006
【図５】
2019010488.tif 000007
【図６】
2019010488.tif 000008
【図７】
2019010488.tif 000009
【手続補正書】
【提出日】平成29年8月24日(2017.8.24)
【手続補正１】
【補正対象書類名】明細書
【補正対象項目名】全文
【補正方法】変更
【補正の内容】
【発明の詳細な説明】
【技術分野】
【０００１】  本発明は、筆記具を収容する筒状容器に三本の組木が交差する組立パズルを備えた、ペン立て兼用の組木パズルに関する。
【背景技術】
【０００２】  従来、ペン立ては筆記具を収容する単なる筒状容器であり、組木パズルは組木の組み合わせや分解を楽しむだけの遊戯具であって、実用性がないと慣れて十分に会得し使用に飽きたとき又は使用しないときは放置されるか、廃棄されていた。しかし、ペン立て容器あるいは組木パズルとしては、下記のようなものが提供されていた。【０００３】  筆記具などを収容する筒状容器の外周壁面に、絵合わせパズルを嵌め合わせるペン立て兼用貯金箱が提供されたものがあった（例えば、特許文献１参照）。【０００４】  また、組木パズルとしては、六本の組木に切り欠きの形状を工夫し、組み合わせてパズル化した組木パズルが提供されている（例えば、特許文献２参照）。【０００５】  しかし、従来の絵合わせパズルや立方体組立パズルは、その嵌め合わせや組み立てる遊びに多様性がないので、組み立てを数回繰り返すと想像力や理解力を要することなく組立てや分解することができる。これでは飽きられて放置されるので、日常的な実用性がないと使用されなくなることがあった。
【先行技術文献】
【特許文献】
【０００６】
【特許文献１】特開平７−２１４９８２
【特許文献２】特開２００４−２５５１４２
【発明の概要】
【発明が解決しようとする課題】
【０００７】  以上に述べた従来のペン立てには遊戯性に欠け、組木パズルには実用性が欠けていた。【０００８】  本発明は、このような従来のペン立てが有する造形や構造の問題を解決するものであり、筒状容器の内部に二重底を設け、当該ペン立て筒状容器に三本の組木が各々交わる交差路を形成し、各組木の組立てや分解が可能なパズルを備えた、ペン立て兼用の組木パズルの提供を目的とするものである。
【課題を解決するための手段】
【０００９】  本発明は、上記目的を達成するために以下の構成を採用した。【００１０】  本発明に係るペン立て筒状容器は、筒状容器の内部に筆記具を立てる収容部とその内底を設け、当該内底の下部壁面に対向する複数の開口部が形成された収容部を設け、当該収容部の底に開閉可能なねじ溝を有する蓋が設けられたことを特徴とする。【００１１】  前述筒状容器を成形する下部壁面に対向する開口部を形成し、当該開口部に差し込む三本の組木は各々長方形で六面を有する同一サイズの直方体である。以下に各組木が等間隔で交わる交差路の特徴を説明する。【００１２】  図４記載の組木Ａは直方体に形成されたものであって、当該組木Ａの下部底面から両端の高さ三分の二に相当する中央部分の両側を略逆三角形状に切り抜いて切欠き部を形成し下向きの段部を形成する。【００１３】  前述組木Ａの底面には、両端から長手方向に対向する状態で略三角形状の突起部が形成されたことを特徴とする組木Ａである。【００１４】  図５記載の組木Ｂは、左右両端の組木片１０ａ、１０ｂが着脱可能にすることを特徴とした一対の直方体である。【００１５】  前述組木片１０ａの一端の高さが上部平面から三分の一に相当する中央部分に、両側を略逆三角形状に切り抜いて切欠き部１１ａを形成し、上部平面の一端から長手方向に略三角形状の突起部１２ａを形成する。【００１６】  上述組木Ｂの組木片１０ａの中央部分に前記組木Ａが交差する長方状の中央段部を形成し、当該中央段部の端部に割溝が形成された円形状の差込み棒を設ける。【００１７】  前述組木片１０ａに形成された中央段部の下部に略逆三角形状に切り抜いて切欠き部１１ｂを形成し、組木片１０ａの下部底面の一端から長手方向に略三角形状の突起部１２ｂを形成する。【００１８】  上述組木片１０ｂの上部平面には、他端から長手方向に対向する略三角形状の突起部１２ｃを形成する。【００１９】  前述組木片１０ｂの中央部に段差部を形成し、当該段差部の中心部に穿孔を設ける。【００２０】  前述組木片１０ｂの下部底面には突起部１２ｂと対向する略三角形状の突起部１２ｄを形成する。【００２１】  上述組木片１０ａの中央段部に設けた差込み棒を、組木片１０ｂに設けた段差部に穿設した穿孔に挿入し、組木片１０ａと組木片１０ｂを着脱可能に連結したことを特徴とする一対の組木Ｂである。【００２２】  図６記載の組木Ｃは、組木片１８ａと組木片１８ｂを着脱可能にすることを特徴とした一対の直方体である。【００２３】  前述組木片１８ａの一端から上部平面の長手方向に略三角形状の突起部１９ａを形成し、当該突起部１９ａの下部に段差部を形成し、さらに段差部の中心部に穿孔を設ける。【００２４】  上述組木片１８ｂの他端から上部平面の長手方向において突起部１９ａと対向する略三角形状の突起部１９ｂを形成し、当該突起部１９ｂの下部に略逆三角形状の切欠き部を切り抜いた下部段部を形成する。【００２５】  前述組木片１８ｂの下部に形成した段部の先端に割溝が形成された円形状の差込み棒を設け、当該差込み棒を組木片１８ａに形成された段差部の穿孔に挿着し、組木片１８ｂの差込み棒を組木片１８ａの穿孔に着脱可能に連結したことを特徴とする一対の組木Ｃである。【００２６】  以下、本発明に係る組木Ａ、Ｂ、Ｃによる組木パズルの組立てを説明する。【００２７】  本発明は、ペン立てに使用する筒状容器の周壁に設けた開口部に、前記組木Ａの上部平面部を上向きの状態で差し込み、対向する開口部から組木Ａの一端が突き出た状態にして組立てる。【００２８】  上述組木Ｂの組木片を任意の開口部から組木Ａの切欠き部に差し込むと、対向する開口部から組木片の差込み棒が突き出た状態で配置される。当該差込み棒に組木片の穿孔を挿着すると組木Ｂが筒状容器内に組立てる。【００２９】  上述組木Ｃの組木片を任意の開口部から組木Ｂの切欠き部に差し込むと、対向する開口部から組木片の差込み棒が突き出た状態に組立てられるので、前述差込み棒に組木片の穿孔を挿着し、組木Ｃが筒状容器の内部に組立てられる。したがって筒状容器内で三本の組木Ａ、Ｂ、Ｃが組立分解することが可能なパズルが完成する。
【作用】
【００３０】  本発明は上述のとおり、三本の組木による組立分解が可能なパズルであって、三本の組木が各々どのように作用しているか以下の通り説明する。
【００３１】  上述筒状容器の開口部を介して交差する組木Ａ、Ｂ、Ｃに形成された逆三角形状の切欠き部の範囲で摺動するが、組木Ａ、Ｂ、Ｃに形成した上部段部、中央段部、下部段部の側壁が妨げとなり各切欠き部の範囲を超えて摺動することは不可能である。
【００３２】  すなわち、組木Ａの摺動は、組木Ｂの中央段部と組木の下部段部の側壁が妨げとなる。
【００３３】  また、組木Ｂの摺動は、組木Ａの上部段部と組木Ｃの下部段部との側壁が妨げとなる。
【００３４】  なお、組木Ｃの摺動は、組木Ａの上部段部と組木Ｂの中央段部の側壁が妨げの役割を果たすことができる。
【００３５】  上述の通り、三本の組木Ａ、Ｂ、Ｃを筒状容器から引き抜き分解することの難易度が高いパズルを提供することができる。
【発明の効果】
【００３６】  上述したように本発明のペン立て兼用の組木パズルは、筒状容器の内部にペンを立てる収容部と三本の組木が交わる状態で組立分解が可能なパズルを備えた収容部を設けたものであって、筒状容器に組立てた三本の組木を引き抜くことを想像する遊戯性と共に、組木パズルの不使用時はペン立てとして使用するものである。
【００３７】  また、組木パズルは、単なる遊戯のみではなく集中力や創造力を鍛錬すると共に、指先を使用することで指先の鍛錬になる効果を発揮するものである。
【図面の簡単な説明】
【００３８】
【図１】本発明の筒状容器に組木が交差した状態の平面図。
【図２】本発明の筒状容器の側面図。
【図３】図２に示すＡ−Ａ線による筒状容器の縦断面図。
【図４】本発明の組木Ａに係る実施の形態を示すものであって、（１）は組木Ａの平面図。（２）は組木Ａの側面図。（３）は組木Ａの底面図。
【図５】本発明の組木Ｂに係る実施の形態を示すものであって、（１）組木片が挿着された状態の平面図。（２）組木片の形態を示す側面図。（３）組木片を挿着した状態を示す側面図。（４）組木片が挿着された状態を示す底面図。
【図６】本発明の組木Ｃに係る実施の形態を示すものであって、（１）組木片が挿着された状態の平面図。（２）組木片の形態を示す側面図。（３）組木片を挿着した状態を示す側面図。（４）組木片が挿着された状態を示す底面図。
【図７】本発明の組木Ａ、Ｂ、Ｃが交差した状態で組立てられた状態を示す平面図。
【発明を実施するための形態】
【００３９】  以下、本発明の実施の形態を図１から図７に基づいて説明する。
【００４０】  図１から図３においては、ペン立て筒状容器１の内部に筆記具の収容部２と内底３を設け、当該内底３の下部壁面には対向する複数の開口部４が形成された収容部５形成し、当該収容部５の下部に開閉可能なねじ溝を有する蓋６を設けたことを特徴とする筒状容器１である。
【００４１】  上記筒状容器１に形成された開口部４に差し込む三本の組木部材は各々長方形で六面を有する同一サイズの直方体である。しかし、当該組木部材は各々形状が異なるので、以下に三本の組木の特徴を説明する。
【００４２】  図４に示す組木Ａは直方体に形成されたものであって、当該組木Ａの下部底面から両端の高さが三分の二に相当する中央部分の両側を略逆三角形状に切り抜いて切欠き部７を形成し、組木Ａの上部に下向きの段部９を形成する。
【００４３】  なお、前述の組木Ａの底面に両端から長手方向に対向する状態で略三角形状の突起部８ａ、８ｂが形成されたことを特徴とする組木Ａである。
【００４４】  図５において、組木Ｂは組木片１０ａと組木片１０ｂを着脱可能に挿着されたことを特徴とする一対の直方体である。
【００４５】  前述組木片１０ａの一端の高さが上部平面から三分の一に相当する中央部分に、両側を略逆三角形状に切り抜いて切欠き部１１ａを形成し、上部平面の一端から長手方向に略三角形状の突起部１２ａを形成する。
【００４６】  なお、組木Ｂの組木片１０ａの中央部分に前述組木Ａが交差する長方状の中央段部１３を形成し、当該中央段部１３の端部に割溝１４を形成した円形状の差し込み棒１５を形成する。
【００４７】  前述組木片１０ａに形成された中央段部１３の下部に略逆三角形状に切り抜いた切欠き部１１ｂを形成し、組木片１０ａの下部に底面の一端から長手方向に略三角形状の突起部１２ｂを形成する。
【００４８】  上述組木片１０ｂの上部平面には、他端から長手方向に突起部１２ａと対向する略三角形状の突起部１２ｃを形成する。
【００４９】  前述組木片１０ｂの中央部に段差部１６を形成し、当該段差部１６の中心部に穿孔１７を設ける。
【００５０】  前述組木片１０ｂの下部底面には突起部１２ｂと対向する略三角形状の突起部１２ｄを形成する。
【００５１】  上述組木片１０ａの中央段部１３に設けた差込み棒１５を組木片１０ｂに設けた段差部１６に穿設した穿孔１７に挿入し、組木片１０ａと組木片ｂを着脱可能に挿着したことを特徴とする一対の組木Ｂである。
【００５２】  次に組木Ｃは、組木片１８ａと組木片１８ｂが着脱可能に挿着されてなることを特徴した一対の直方体である。
【００５３】  前述組木片１８ａの一端から上部平面の長手方向に略三角形状の突起部１９ａを形成し、当該突起部１９ａの先端の下部に段差部２０を形成し、さらに段差部２０の中心部に穿孔２１を設ける。
【００５４】  上述組木片１８ｂの他端から上部平面の長手方向において突起部１９ａと対向する略三角形状の突起部１９ｂを形成し、当該突起部１９ｂの先端の下部に略逆三角形状の切欠き部２２を切り抜いた下部段部２３を形成する。
【００５５】  前述組木片１８ｂの下部に形成した段部２３の先端に割溝２４が形成された円形状の差込み棒２５を設け、当該差込み棒２５を組木片１８ａに形成された段差部２０の穿孔２１に挿着し、組木片１８ａの差込み棒２５と組木片１８ｂの穿孔１７を着脱可能に挿着したことを特徴とする一対の組木Ｃである。
【００５６】  以下、本発明の組木Ａ、Ｂ、Ｃによる組木パズルの組立ての過程を説明する。
【００５７】  本発明は、筆記具を収容する筒状容器１の周壁に設けた任意の開口部４に、前述の組木Ａの上部平面部を上向きの状態で差し込み、対向する開口部４から組木Ａの一端が突き出る状態で組み立てる。
【００５８】  上述組木Ｂの組木片１０ａを任意の開口部４から組木Ａの切欠き部７に差し込むと、対向する開口部４から組木片１０ａの差込み棒１５が突き出た状態で配置される。なお、差込み棒１５に組木片１０ｂの穿孔１７を挿着すると組木Ｂが筒状容器１内に組み立てる。
【００５９】  上述組木Ｃの組木片１８ｂを任意の開口部４から組木Ｂの切欠き部１１ｂに差し込むと、対向する開口部４から組木片１８ｂの差込み棒２５が突き出た状態で組み立てられるので、前述差込み棒２５に組木片１８ａの穿孔２１を挿着し、組木Ｃが筒状容器１の収容部５内に組立てられる。したがって、筒状容器１内で三本の組木Ａ、Ｂ、Ｃが組立分解することが可能なパズルが完成する。
【００６０】  本発明は三本の組木Ａ、Ｂ、Ｃによる組立分解が可能なパズルであって、次に三本の組木Ａ、Ｂ、Ｃが各々どのように作用するのか、以下のとおり説明する。
【００６１】  上述の筒状容器１の周壁に形成された複数の開口部４を介して交差する組木Ａ、Ｂ、Ｃに形成された逆三角形状の切欠き部７、１１ａ、１１ｂ、２２の範囲で摺動するが、組木Ａ、Ｂ、Ｃに形成した上部段部９、中央段部１３、下部段部２３の側壁が妨げとなり切欠き部７、１１ａ、１１ｂ、２２の範囲を超えて摺動することは不可能である。
【００６２】  すなわち、組木Ａの摺動は、組木Ｂの中央段部１３と組木Ｃの下部段部２３の側壁が妨げとなる。
【００６３】  また、組木Ｂの摺動は、組木Ａの上部段部９と組木Ｃの下部段部２３との側壁が妨げとなる。
【００６４】  なお、組木Ｃの摺動は、組木Ａの上部段部９と組木Ｂの中央段部１３の側壁が妨げの役割を果たす。
【００６５】  上述のとおり、三本の組木Ａ、Ｂ、Ｃを筒状容器１から引き抜き分解することの難易度が高いパズルを提供することができる。
【００６６】  本発明に係る筒状容器１の内部に組立てた組木パズルを分解する場合は、組木Ｂの両端を力強く組木片１０ａと組木片１０ｂを引くと容易に引離すことが可能である。
【００６７】  次に、組木Ｃの両端を力強く組木片１８ａと組木片１８ｂを引くと容易に引離すことが可能である。
【００６８】  なお、組木片Ｂと組木Ｃを各々引き離すと、組木片Ａは容易に開口部４から引き出すことができる。
【００６９】  上述したように、本発明のペン立て兼用の組木パズルは、筒状容器１の内部に筆記具を立てる収容部２と三本の組木Ａ、Ｂ、Ｃを交差する状態で組立分解が可能なパズルを備えた収容部５を設けたものであって、筒状容器１に組立てた三本の組木Ａ、Ｂ、Ｃを引き抜くことを想像する遊戯性と共に、組木パズルの不使用時にはペン立てとして使用できるものである。
【符号の説明】
【００７０】    １  筒状容器
２  収容部
３  内底
４  開口部
５  収容部
６  蓋
Ａ  組木
７  切欠き部
８ａ  突起部
８ｂ  突起部
９  上部段部
Ｂ  組木
１０ａ  組木片
１０ｂ  組木片
１１ａ  切欠き部
１１ｂ  切欠き部
１２ａ  突起部
１２ｂ  突起部
１２ｃ  突起部
１２ｄ  突起部
１３  中央段部
１４  割溝
１５  差込み棒
１６  段差部
１７  穿孔
Ｃ  組木
１８ａ  組木片
１８ｂ  組木片
１９ａ  突起部
１９ｂ  突起部
２０  段差部
２１  穿孔
２２  切欠き部
２３  下部段部
２４  割溝
２５  差込み棒